(57)【特許請求の範囲】
【請求項１】
靴内部の空気を内部空間に流入させる空気流入弁と；
前記空気流入弁によって前記内部空間に流入された空気を前段部に放出させる空気放出ポンプと；
ほぼ一定の厚さで構成され、前記空気放出ポンプを収容する収容部が後段に形成され、前記収容部の一側の所定位置に前記空気流入弁を収容する結合部が備えられており、中央部に空気流通路が長手方向に形成された下板と；
前記下板の上面に熱融着接合され、前記空気放出ポンプの上部を下面側に収容する突出部が形成されており、前段部の所定位置に多数の指圧突起が形成されており、前記指圧突起の前側に前記空気流通路と連通された空気排出孔が形成された上板と；
を備え、
前記空気排出孔は前記空気流通路の直径より小さな直径から構成されており、前記空気流通路を通じて流通される空気が前記空気排出孔から放出されるとともに前記指圧突起を加圧することを特徴とする、靴の中敷。
【請求項２】
前記空気流入弁は靴の内部の空気が中敷の前記空気流通路に流入されるように一方向にだけ空気の流れを制御するチェック弁であることを特徴とする、請求項１に記載の靴の中敷。
【請求項３】
前記下板はその収容部と結合部、空気流通路がそれぞれ連通された構造であることを特徴とする、請求項１に記載の靴の中敷。
【請求項４】
前記上板は前記突出部の上面の所定位置に靴に流入された空気を中敷の内部に流入させるための補助流入孔が形成されることを特徴とする、請求項１に記載の靴の中敷。
【請求項５】
前記指圧突起は空気流通路の空気流入によって膨脹及び収縮を繰り返すように軟質の合成樹脂材で構成されることを特徴とする、請求項１に記載の靴の中敷。
【発明の詳細な説明】
【技術分野】
【０００１】
本発明は、靴の中敷に関する。
【背景技術】
【０００２】
周知のように、靴の中敷は靴の底面に挿入されて着用者にクッション感を提供するものである。通常、中敷は靴の内部の底面模様によってその形象が形成され、着用者が歩行時に楽に感じて疲労感を減らすことができるようにクッション材を用いて製作する。
【０００３】
しかし、運動靴などの保温性がある靴を着用した際には、歩行時に靴の内部に熱気が多く発生するだけでなく、発生した熱気が簡単に外部へ放出されることができない。そのため靴を脱ぐ場合には不快な足の臭いがするだけでなく、足から出た汗によって生じる各種の細菌によって足部疾患を誘発する問題点がある。したがって、暑い季節には使用者がこのような運動靴を着用することに大変負担を感じる。
【発明の開示】
【発明が解決しようとする課題】
【０００４】
このような問題点を解消しようと従来では、靴の中敷に空気循環のための多数の通孔を形成したり、その上面に突起を形成することで、熱気を冷やす方式の靴がある。しかし、従来のこのような靴の中敷は指圧効果などの付随的な効果は期待することができるが、靴の内部で空気の循環がほとんど成り立たないため、内部の熱気を冷やしたり足の臭いを予防する根本的な解決策にはならなかった。
【０００５】
また、靴を着用して歩く時には通常、足裏のつま先、たいてい足指部分に汗が多く発生する。しかし、従来は靴の構造的な問題によって足指部分では空気の循環がほとんど行われず、足部疾患を誘発する各種細菌が繁殖する。そのため、従来方式によって靴の足の臭い及び細菌繁殖の問題を解決するには限界がある。
【０００６】
最近では、足の大切さがさらに認識されると共に、漢方医学ですでにずいぶん前に確立された足部経血刺激を行うことで、身体の各部位に及ぶ血流をほぐしたり刺激するようにした指圧や足マッサージ機能を持つ靴が開発されて事業化されている。したがって、スリッパや一般靴の内部に敷く中敷の底面には一定の強度以上の材質で作られて足を指圧することができる多数の指圧突起を備えた製品が発売されている。このような指圧突起を備えた靴の中敷の場合には、力強く足裏を刺激すれば指圧の効果が高くなると錯覚して、高い強度の指圧突起を形成している。しかし、これは着用者に足の裏の痛みを感じさせるため、指圧突起を備えた靴の着用を忌避するようになる。
【０００７】
また、一定強度に形成された指圧突起の場合には、大部分は靴底面の前部すなわち、足指が位置する部分に構成されている。しかし、足指部位は靴を着用して歩く際にほとんど動かず、大部分はかかとが動くようになるので、従来の指圧突起を備えた靴は指圧効果がほとんどないという問題点がある。すなわち、指圧突起が足指部位を刺激することができなかった。
【０００８】
そこで、本発明は、上記問題に鑑みてなされたものであり、本発明の目的とするところは、指圧効果があり、靴内部で空気循環を行なうことが可能な、新規かつ改良された靴の中敷を提供することにある。
【課題を解決するための手段】
【０００９】
上記課題を解決するために、本発明のある観点によれば、靴内部の空気を内部空間に流入させる空気流入弁と、空気流入弁によって内部空間に流入された空気を前段部に放出させる空気放出ポンプと、ほぼ一定の厚さで構成され、空気放出ポンプを収容する収容部が後段に形成され、収容部の一側の所定位置に空気流入弁を収容する結合部が備えられており、中央部に空気流通路が長手方向に形成された下板と、下板の上面に熱融着接合され、空気放出ポンプの上部を下面側に収容する突出部が形成されており、前段の所定位置に多数の指圧突起が形成されており、指圧突起の前段部に空気流通路と連通された空気排出孔が形成された上板とを備えることを特徴とする靴の中敷が提供される。
【００１０】
上記空気流入弁は靴の内部の空気が中敷の空気流通路に流入されるように一方向にだけ空気の流れを制御するチェック弁であってもよい。また、上記下板はその収容部と結合部、空気流通路がそれぞれ連通された構造であってもよい。
【００１１】
上記上板は突出部の上面の所定位置に靴に流入された空気を中敷の内部に流入させるための補助流入孔が形成されてもよい。また、上記指圧突起は空気流通路の空気流入によって膨脹及び収縮を繰り返すように軟質の合成樹脂材で構成されてもよい。
【００１２】
上記空気排出孔は空気流通路の直径より小さな直径から構成されて空気流通路を通じて流通される空気が指圧突起を加圧してもよい。
【発明の効果】
【００１３】
本発明によれば、指圧効果があり、靴内部で空気循環を行なうことができる。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
（第１の実施形態）
まず、本発明の第１の実施形態に係る靴の中敷２について説明する。図１は本実施形態に係る指圧及び空気循環機能を備えた靴の中敷２の構成を示す断面図である。図２は本実施形態に係る指圧及び空気循環機能を備えた靴の中敷２の構成を示す分解斜視図である。図３は本実施形態に係る指圧及び空気循環機能を備えた靴の中敷２の構成を示す断面図である。
【００１６】
これらの図面を参照すれば、本実施形態に係る指圧及び空気循環機能を備えた靴の中敷２は、中敷２の上板２０に多数の突出された指圧突起２８を形成して、その下板４の上面に空気放出ポンプ１４を挿入する挿入部を形成して、その挿入部と連通する空気流通路１０とチェック弁結合部１３とをそれぞれ備えることによって空気放出ポンプ１４の圧送によって指圧突起２８が膨張・収縮を繰り返しながら指圧及び空気循環が行われるようにした靴の中敷２である。
【００１７】
本実施形態に係る指圧及び空気循環機能を備えた靴の中敷２は、上板２０と下板４とから構成されて、上板２０と下板４との間に靴の内部の空気が流入されて中敷２の前段部に排出される動作で靴の内部の空気を循環させながらその空気循環力を利用して指圧が行われるように構成されている。その上板２０と下板４とは熱圧着される。
【００１８】
このために、本実施形態に係る指圧及び空気循環機能を備えた靴の中敷２は、靴の内部の空気を中敷２の内部空間に流入させるための空気流入弁１６が構成される。その空気流入弁１６は中敷２の一側の所定位置に備えられて中敷２の外部空気すなわち、靴の内部の空気を中敷２の内部空間に流入させる。
【００１９】
このとき、空気流入弁１６は靴の内部の空気が中敷２の空気流通路１０に流入されるように一方向にだけ空気の流れを制御するチェック弁であることが好ましい。
【００２０】
また、空気流入弁１６によって中敷２の内部に流入された空気を中敷２の前段部に放出させる空気放出ポンプ１４が備えられる。その空気放出ポンプ１４は中敷２の後段に装着されて使用者の足のかかとによって動作するようになる。また、空気放出ポンプ１４は、スポンジなどの伸縮性のよい材質から構成されている。
【００２１】
本実施形態に係る指圧及び空気循環機能を備えた靴の中敷２は、その下部を構成する下板４が備えられる。その下板４はほぼ一定の厚さで構成されて、空気放出ポンプ１４を収容する収容部８がその後段に形成されており、収容部８の一側の所定位置に空気流入弁１６を収容する結合部１３が備えられて、その中央部に中敷２の長手方向に空気流通路１０が形成されている。
【００２２】
このとき、空気流通路１０はその中央部から前段部まではお互いにある一つの位置で接続される輪形の空気が流通する通路で構成される。このような構造は指圧突起２８の下部で、空気がより長時間滞留しながら、指圧突起２８に空気圧縮力を提供できる。その上面に形成された指圧突起２８も輪形の形象で配置されている。
【００２３】
一方、下板４の上面には上板２０が熱融着されている。上板２０には、空気放出ポンプ１４の上部が下面側に収容される突出部２４が形成されており、上板２０の前段の所定位置に複数の指圧突起２８が形成されており、指圧突起２８の前段部に空気流通路１０と連通する空気排出孔３０が形成されている。
【００２４】
このとき、下板４に構成される収容部８と結合部１３、空気流通路１０はそれぞれ連通されて中敷２に流入された空気が空気流通路１０を通じて空気排出孔３０に排出されるようになっている。
【００２５】
一方、上板２０は突出部２４の上面の所定位置に靴に流入された空気を中敷２の内部に流入させるための補助流入孔２６が形成されている。すなわち、空気流入弁１６がほこりなどの異物によって詰まる場合補助流入孔２６を通じて直接中敷２の外部の空気を空気放出ポンプ１４に供給することができるようになる。
【００２６】
また、指圧突起２８は空気流通路１０の空気流入によって膨脹及び収縮を繰り返すほどの軟質の合成樹脂材で構成されることが好ましく、シリコーン材質のものがよい。このとき、指圧突起２８の材質はその上板２０の材質で、他の異種材質のものであってもよく、異種材質の場合は別途に指圧突起２８を上板２０に熱圧着や接着剤を利用して附着させてもよい。
【００２７】
一方、空気排出孔３０は空気流通路１０の直径より小さな直径で構成される。その結果、空気流通路１０を通じて流通される空気が空気排出孔３０を通じて一度に排出されることができず、その残余空気が指圧突起２８を更に効果的に加圧できる。未説明符号６と２２は切取線を示すものである。
【００２８】
以下、構成の本発明の好ましい実施形態に係る指圧及び空気循環機能を備えた靴の中敷２の機能及び作用を図面を参照して詳細に説明する。図４Ａ、図４Ｂは本実施形態に係る指圧及び空気循環機能を備えた靴の中敷２の使用状態を示す状態図である。
【００２９】
まず、上記構成の本実施形態に係る指圧及び空気循環機能を備えた靴の中敷２を靴の底面に入れた状態で、使用者が靴を着用して歩くと、使用者が歩行中にかかとを持ち上げる時空気放出ポンプ１４の形態が原状に復されながらその復元力によって空気流入弁１６を通じて空気を中敷２の内部に流入させる。
【００３０】
流入された空気は中敷２の内部に形成された空気流通路１０上に存在するようになって、このときの指圧突起２８は図４Ａに示すように収縮された状態で存在する。その状態で、かかとが下降して上板２０の突出部２４に密着されるようになると突出部２４の下部に構成された空気放出ポンプ１４が加圧されて空気放出ポンプ１４及び空気流通路１０に存在する空気を中敷２の前段部に放出させる。
【００３１】
その放出過程中、空気排出孔３０が狭小な直径でなっているため、前段部に放出された空気は一度に空気排出孔３０に放出されることができず、残余空気が指圧突起２８を加圧するようになり、それによって指圧突起２８が図４Ｂに示すように膨脹されて指圧が行われるようになる。
【００３２】
特に、下板４の中央部から前段部までの空気流通路１０はその一部だけ接続される輪形で構成されることで指圧突起２８に十分な空気加圧力が及ぶほどに滞留しながら指圧効果を更に高めることができる。
【００３３】
本実施形態に係る発明は指圧及び空気循環機能を備えた靴の中敷２に関するもので、より詳細には、靴の中敷２の上板２０に多数の突出された指圧突起２８を形成して、その下板４の上面に空気放出ポンプ１４を挿入する挿入部を形成して、その挿入部と連通する空気流通路１０とチェック弁結合部１３とをそれぞれ備えることによって空気放出ポンプ１４の圧送によって指圧突起２８が膨張・収縮を繰り返しながら指圧及び空気循環を行うことができる。
【００３４】
本実施形態に係る指圧及び空気循環機能を備えた靴の中敷２は、空気放出ポンプ１４を通じて靴の内部の空気を靴の前段部に循環させると同時に、空気の供給時に自動で指圧動作が行われることで、指圧効果を連続で提供しながら、空気の循環を通じて各種細菌の生息や繁殖を防止することができる。また、指圧突起２８が空気圧縮方式で動作するから、指圧によって苦痛でない程度の指圧が行われる利点がある。
【００３５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００３６】
【図１】本発明の第１の実施形態に係る指圧及び空気循環機能を備えた靴の中敷の構成を示す断面図である。
【図２】同実施形態に係る指圧及び空気循環機能を備えた靴の中敷の構成を示す分解斜視図である。
【図３】同実施形態に係る指圧及び空気循環機能を備えた靴の中敷の構成を示す側断面図である。
【図４Ａ】同実施形態に係る指圧及び空気循環機能を備えた靴の中敷の使用状態を示す状態図である。
【図４Ｂ】同実施形態に係る指圧及び空気循環機能を備えた靴の中敷の使用状態を示す状態図である。
【符号の説明】
【００３７】
２      中敷
４      下板
６      切取線
８      収容部
１０      空気流通路
１３      結合部
１４      空気放出ポンプ
１６      空気流入弁
２０      上板
２４      突出部
２６      補助流入孔
２８      指圧突起
３０      空気排出孔
【図１】
0004777961.tif 000002
【図２】
0004777961.tif 000003
【図３】
0004777961.tif 000004
【図４Ａ】
0004777961.tif 000005
【図４Ｂ】
0004777961.tif 000006